(57)【要約】【課題】受信するデータの固有コードのみを受信した使用者の受信端末機が有線または無線で固有コードをインターネットに連結された別途のディスプレイ装置に送信し、該別途のディスプレイ装置が、データが保存されたサーバーに接続して固有コードに該当するデータをディスプレイするようにする、システム及び方法を提供する。【解決手段】データ及び前記データに対するメタデータを保存するデータサーバーから受信された前記メタデータにマッチングされた第１固有コードを生成するコード生成部と、前記第１固有コードを受信端末機に送信する第１通信部と、ディスプレイ装置から第２固有コードを受信し、前記第１固有コードと前記第２固有コードとが対応する場合に前記第１固有コードにマッチングされて保存された前記メタデータを前記ディスプレイ装置に送信する第２通信部とを含む。【選択図】図３
2006190305.tif 000002
【特許請求の範囲】
【請求項１】
データ及び前記データに対するメタデータを保存するデータサーバーから受信された前記メタデータにマッチングされた第１固有コードを生成するコード生成部と；
前記第１固有コードを受信端末機に送信する第１通信部と；
ディスプレイ装置から第２固有コードを受信し、前記第１固有コードと前記第２固有コードとが対応する場合に前記第１固有コードにマッチングされて保存された前記メタデータを前記ディスプレイ装置に送信する第２通信部と
を含む、受信されたデータを別途の装置を利用してディスプレイする装置。
【請求項２】
前記メタデータを受信する第３通信部をさらに含む、請求項１に記載の受信されたデータを別途の装置を利用してディスプレイする装置。
【請求項３】
所定のデータに対する固有コードを受信端末機から受信する第４通信部と；
前記受信された固有コードをデータ中継装置に送信し、前記データ中継装置から前記固有コードに対応するデータのメタデータを受信する第５通信部と；
データ及び前記データに対するメタデータを保存するデータサーバーから前記メタデータに対応するデータを受信して出力するディスプレイ部と
を含む、受信されたデータを別途の装置を利用してディスプレイする装置。
【請求項４】
前記データは、電子メール、広告及び文書のうちの少なくとも一つであることを特徴とする、請求項１または請求項３に記載の受信されたデータを別途の装置を利用してディスプレイする装置。
【請求項５】
前記データは、テキスト、停止映像及び動映像のうちの少なくとも一つであることを特徴とする、請求項４に記載の受信されたデータを別途の装置を利用してディスプレイする装置。
【請求項６】
前記メタデータは、データフォーマット、データ大きさ、データ題目、データ保存位置、発信端末機住所及び受信端末機住所のうちの少なくとも一つを含むことを特徴とする請求項１または請求項３に記載の受信されたデータを別途の装置を利用してディスプレイする装置。
【請求項７】
前記第４通信部は、赤外線通信、ブルートゥース、ホームＲＦ、無線インターネット、ＵＳＢ、ＩＥＥＥ１３９４、ＲＳ−２３２、ＰＳ２及び並列通信のうちの少なくとも一つの方式によって前記固有コードを受信することを特徴とする、請求項３に記載の受信されたデータを別途の装置を利用してディスプレイする装置。
【請求項８】
前記メタデータに対応するデータを受信する第６通信部をさらに含む、請求項３に記載の受信されたデータを別途の装置を利用してディスプレイする装置。
【請求項９】
データ及び前記データに対するメタデータを保存するデータサーバーから受信された前記メタデータにマッチングされた第１固有コードを生成する段階と；
前記第１固有コードを受信端末機に送信する段階と；
ディスプレイ装置から第２固有コードを受信し、前記第１固有コードと前記第２固有コードとが対応する場合に前記第１固有コードにマッチングされて保存された前記メタデータを前記ディスプレイ装置に送信する段階と
を含む、受信されたデータを別途の装置を利用してディスプレイする方法。
【請求項１０】
所定のデータに対する固有コードを受信端末機から受信する段階と；
前記受信された固有コードをデータ中継装置に送信し、前記データ中継装置から前記固有コードに対応するデータのメタデータを受信する段階と；
データ及び前記データに対するメタデータを保存するデータサーバーから前記メタデータに対応するデータを受信して出力する段階と
を含む、受信されたデータを別途の装置を利用してディスプレイする方法。
【請求項１１】
前記データは、電子メール、広告及び文書のうちの少なくとも一つであることを特徴とする、請求項９または請求項１０に記載の受信されたデータを別途の装置を利用してディスプレイする方法。
【請求項１２】
前記データは、テキスト、停止映像及び動映像のうちの少なくとも一つであることを特徴とする、請求項１１に記載の受信されたデータを別途の装置を利用してディスプレイする方法。
【請求項１３】
前記メタデータは、データフォーマット、データ大きさ、データ題目、データ保存位置、発信端末機住所及び受信端末機住所のうちの少なくとも一つを含むことを特徴とする、請求項９または請求項１０に記載の受信されたデータを別途の装置を利用してディスプレイする方法。
【請求項１４】
前記固有コードを受信端末機から受信する段階は、赤外線通信、ブルートゥース、ホームＲＦ、無線インターネット、ＵＳＢ、ＩＥＥＥ１３９４、ＲＳ−２３２、ＰＳ２及び並列通信のうちの少なくとも一つの方式によって前記固有コードを受信する段階であることを特徴とする、請求項１０に記載の受信されたデータを別途の装置を利用してディスプレイする方法。
【発明の詳細な説明】
【技術分野】
【０００１】
本発明は受信されたデータを別途の装置を利用してディスプレイするシステム及び方法に係わり、より詳しくは、受信するデータの固有コードのみを受信した使用者の受信端末機が有線または無線で固有コードをインターネットに連結された別途のディスプレイ装置に送信し、ディスプレイ装置はデータが保存されたサーバーに接続して固有コードに該当するデータをディスプレイするようにする、受信されたデータを別途の装置を利用してディスプレイするシステム及び方法に関する。
【背景技術】
【０００２】
従来のデータ送信及びディスプレイシステムは、データ提供者がインターネットまたは別途の有無線手段を利用して所定の端末機を所持したデータ受信者にデータを送信すると、データ受信者が端末機を利用してデータを確認するか、インターネットを通じてデータが保存されたサーバーに接続してデータを確認することができるようにする手段を提供する。
【０００３】
図１は従来の電子メールを通じたデータ送信及びディスプレイシステムを示した図面である。
電子メールを通じたデータ送信及びディスプレイシステムは第１ＰＣ１１、第２ＰＣ１４、メールサーバー１２及び無線端末機１３を含んで構成される。
【０００４】
発信者は第１ＰＣ１１を利用してメールサーバー１２に接続し、受信者にデータが添付されたメールを送信する。これによって、受信者は第２ＰＣ１４を利用してメールサーバー１２に接続して発信者が送信したメールを確認することができ、自身が所持している無線端末機１３を利用してメール受信有無の通報を受けることもできる。したがって、メールサーバー１２には無線端末機１３に短文を送る短文サービス（Ｓｈｏｒｔ  Ｍｅｓｓａｇｅ  Ｓｅｒｖｉｃｅ）が備えられていなければならない。
【０００５】
つまり、電子メールを通じたデータ送信及びディスプレイシステムで受信者は受信されたメールを確認するためにインターネットが可能なＰＣ１４を備えなければならず、メールサーバー１２に接続するために個人情報を入力しなければならない。
【０００６】
図２は従来の無線端末機を通じたデータ送信及びディスプレイシステムを示した図面である。
無線端末機を通じたデータ送信及びディスプレイシステムは第１無線端末機２１、第２無線端末機２３及び端末中継器２２を含んで構成される。
【０００７】
発信者は第１無線端末機２１を利用して第１無線端末機２１に保存または臨時保存されたデータを第２無線端末機２３に送信する。送信されたデータは先ず端末中継器２２に送信され、端末中継器２２は適切な経路を通じてデータを第２無線端末機２３に伝達する。
【０００８】
これによって、受信者は自身が所持している第２無線端末機２３を利用して受信されたデータを確認することができる。この時、第２無線端末機２３は受信されたデータを処理することができるものでなければならず、例えば、動映像データを受信した場合にこれを再生することができる手段が備えられていなければならない。
【０００９】
このように、従来の無線端末機を通じたデータ送信及びディスプレイシステムの場合にはディスプレイ部の大きさ及び解像度による制約があるため発信者の意図をうまく受信できない状況が発生することもあり、従来の電子メールを通じたデータ送信及びディスプレイシステムの場合にはインターネットが可能なＰＣが周辺に備えられていなければならないという不合理さと共にサーバー接続に必要な使用者情報を入力しなければならないという不便さがあった。
【００１０】
また、下記特許文献１はブルートゥースを利用した近距離無線通信システムに関するものであって、特に、携帯用情報端末機に受信された情報を外部表示機器に表示するための方法に関するものを開示している。これは携帯用情報端末機に保存されている文字情報のみを抽出して外部表示機器に表示するための方法のみを提案しており、携帯用情報端末機のメモリ容量の制限によって動映像のような高容量のデータに対しては適用することが難しいという短所がある。
【特許文献１】韓国公開特許２００１−００２８７５７号
【発明の開示】
【発明が解決しようとする課題】
【００１１】
本発明は、受信するデータの固有コードのみを受信した使用者の受信端末機が有線または無線で固有コードをインターネットに連結された別途のディスプレイ装置に送信し、ディスプレイ装置がデータが保存されたサーバーに接続して固有コードに該当するデータをディスプレイするようにすることにその目的がある。
【００１２】
また、本発明は受信端末機のディスプレイ性能の制約を除去することにその目的がある。
また、本発明は固有コードのみでデータを受信してディスプレイするようにすることによってデータ確認のための使用者情報入力過程を除去することにその目的がある。
【００１３】
本発明の目的は以上で言及した目的に制限されず、言及されていない他の目的は以下の記載から当業者に明確に理解されることができる。
【課題を解決するための手段】
【００１４】
前記目的を達成するために、本発明の実施形態による受信されたデータを別途の装置を利用してディスプレイする装置は、データ及び前記データに対するメタデータを保存するデータサーバーから受信された前記メタデータにマッチングされた第１固有コードを生成するコード生成部と、前記第１固有コードを受信端末機に送信する第１通信部及び、ディスプレイ装置から第２固有コードを受信し、前記第１固有コードと前記第２固有コードとが対応する場合に前記第１固有コードにマッチングされて保存された前記メタデータを前記ディスプレイ装置に送信する第２通信部を含む。
【００１５】
本発明の実施形態による受信されたデータを別途の装置を利用してディスプレイする装置は、所定のデータに対する固有コードを受信端末機から受信する第４通信部と、前記受信された固有コードをデータ中継装置に送信し、前記データ中継装置から前記固有コードに対応するデータのメタデータを受信する第５通信部及び、データ及び前記データに対するメタデータを保存するデータサーバーから前記メタデータに対応するデータを受信して出力するディスプレイ部を含む。
【００１６】
本発明の実施形態による受信されたデータを別途の装置を利用してディスプレイする方法は、データ及び前記データに対するメタデータを保存するデータサーバーから受信された前記メタデータにマッチングされた第１固有コードを生成する段階と、前記第１固有コードを受信端末機に送信する段階及び、ディスプレイ装置から第２固有コードを受信し、前記第１固有コードと前記第２固有コードとが対応する場合に前記第１固有コードにマッチングされて保存された前記メタデータを前記ディスプレイ装置に送信する段階を含む。
【００１７】
本発明の実施形態による受信されたデータを別途の装置を利用してディスプレイする方法は、所定のデータに対する固有コードを受信端末機から受信する段階と、前記受信された固有コードをデータ中継装置に送信し、前記データ中継装置から前記固有コードに対応するデータのメタデータを受信する段階及び、データ及び前記データに対するメタデータを保存するデータサーバーから前記メタデータに対応するデータを受信して出力する段階を含む。
その他の実施形態の具体的な事項は詳細な説明及び図面に含まれている。
【発明の効果】
【００１８】
本発明の受信されたデータを別途の装置を利用してディスプレイするシステム及び方法によれば次のような効果が一つあるいはそれ以上ある。
【００１９】
第一に、別途のディスプレイ装置を通じて受信されたデータを確認することによって受信端末機のディスプレイ性能の制約を除去し、何時どこでもディスプレイ装置が備えられた所で受信されたデータを確認することができる長所がある。
【００２０】
第二に、固有コードのみでデータを受信してディスプレイするようにすることによってデータ確認のための使用者情報入力過程を除去する長所もある。
【発明を実施するための最良の形態】
【００２１】
本発明の利点及び特徴、そしてそれらを達成する方法は添付図面と共に詳細に後述されている実施形態を参照すれば明確になる。しかし、本発明は以下に開示される実施形態に限られるわけではなく、互いに異なる多様な形態に実現でき、単に本実施形態は本発明の開示が完全なようにし、本発明の属する技術分野における通常の知識を有する者に発明の範疇を完全に知らせるために提供させるものであり、本発明は請求項の範疇によって定義されるものである。明細書全体にわたって同一参照符号は同一構成要素を示す。
【００２２】
以下、添付図面を参照して本発明の好ましい実施形態を詳細に説明する。
図３は本発明の実施形態による受信されたデータを別途の装置を利用してディスプレイするシステムを示したブロック図である。
【００２３】
受信されたデータを別途の装置を利用してディスプレイするシステムは、データサーバー３１０、データ中継装置３２０、短文サービスサーバー３３０、受信端末機３４０及びディスプレイ装置３５０を含んで構成される。
【００２４】
データサーバー３１０はメールサーバー、広告サーバー及びＩＤＣ（Ｉｎｔｅｒｎｅｔ  Ｄａｔａ  Ｃｅｎｔｅｒ）サーバーのうちの少なくとも一つを含むサーバーであって、発信者から電子メール、広告及び文書などのデータを受信して保存しており、受信者の要請によって保存されたデータを送信する役割を果たす。
【００２５】
発信者からデータを受信したデータサーバー３１０は受信されたデータに関する情報をデータ中継装置３２０に送信する。この時、送信されるメタデータにはデータフォーマット、データ大きさ、データ題目、データ保存位置、発信端末機の住所及び受信端末機の住所などが含まれるのが好ましい。
【００２６】
ここで、データの保存位置はデータサーバー３１０のＩＰ住所、データを保存しているフォルダー名及びデータのファイル名などが含まれるのが好ましい。
【００２７】
データサーバー３１０からメタデータの伝達を受けたデータ中継装置３２０はメタデータに対する固有コードを生成し、メタデータと固有コードをマッチングして保存する。そして、短文サービスサーバー３３０を通じて受信端末機３４０に固有コードを送信し、短文サービスサーバー３３０はデータ中継装置３２０から受信端末機３４０の住所を受信することによって受信端末機３４０に固有コードを送信することができる。
【００２８】
ここで、受信端末機３４０の住所は電話番号、ＩＰ住所またはハードウェア住所などであることができ、別途の端末機を表示する住所であることもできる。
【００２９】
固有コードを受信した受信端末機３４０は自体お知らせ手段を利用して使用者にデータ受信有無を通報し、これによって、使用者は該当データを確認するためにインターネットが支援されるディスプレイ装置３５０に受信端末機３４０を接続させる。
【００３０】
ここで、受信端末機３４０をディスプレイ装置３５０に接続させる方式としては、赤外線通信、ブルートゥース、ホームＲＦ、無線インターネット、ＵＳＢ、ＩＥＥＥ  １３９４、ＲＳ−２３２、ＰＳ２及び並列通信などの有無線方式を用いることができる。
【００３１】
ディスプレイ装置３５０と通信が締結された受信端末機３４０はディスプレイ装置３５０に該当固有コードを送信し、これを受信したディスプレイ装置３５０はインターネットを通じてデータ中継装置３２０に接続して、受信された固有コードに該当するデータの保存位置を要請する。これによって、データ中継装置３２０はディスプレイ装置３５０に該当データの保存位置を送信し、ディスプレイ装置３５０は再び受信されたデータの保存位置、つまり、データを保存しているデータサーバー３１０に接続してデータを要請する。これによって、データサーバー３１０はディスプレイ装置３５０にデータを送信し、ディスプレイ装置３５０は受信されたデータをディスプレイする。
【００３２】
ディスプレイ装置３５０としては、インターネットＰＣ、インターネットキオスク（ｋｉｏｓｋ）、インターネットセットトップボックス（ｓｅｔ−ｔｏｐ  ｂｏｘ）及びデジタルＴＶなどのようにインターネットが支援され所定のディスプレイ部を備えている装置が含まれる。
【００３３】
したがって、データサーバー３１０はメタデータにマッチングしてデータを保存するのが好ましい。
【００３４】
参考までに、データフォーマット、データ大きさ、データ題目、データ保存位置、発信端末機住所及び受信端末機住所などのメタデータはデータ中継装置３２０が保存しているが、短文サービスサーバー３３０によって固有コードと共にメタデータを受信端末機３４０に送信して保存するようにすることもでき、この時、受信端末機３４０はディスプレイ装置３５０にデータ保存位置が含まれたメタデータを送信し、これによってディスプレイ装置３５０はデータ中継装置３２０へデータの保存位置を要請することなく、直接データサーバー３１０からデータを受信することもできる。
【００３５】
図４は本発明の実施形態によるデータ中継装置を示したブロック図である。
データ中継装置３２０は情報保存部４１０、第１通信部４２０、第２通信部４５０、第３通信部４３０、制御部４４０及びコード生成部４６０を含んで構成される。
【００３６】
第３通信部４３０はデータサーバー３１０からデータフォーマット、データ大きさ、データ題目、データ保存位置、発信端末機住所及び受信端末機住所などのメタデータを受信する役割を果たす。
【００３７】
メタデータが受信されると、コード生成部４６０は受信されたメタデータにマッチングされた固有コードを生成し、生成された固有コードを短文サービスサーバー３３０を通じて受信端末機３４０に送信する。
【００３８】
この時、コード生成部４６０によって生成された固有コードはデータ題目またはメタデータ全体が受信端末機３４０に送信されることにより、受信者がデータの種類を確認することができるようにするのが好ましい。
【００３９】
また、受信されたメタデータと生成された固有コードは互いにマッチングされて情報保存部４１０に保存されるのが好ましい。
【００４０】
そして、データ中継装置３２０は、待機状態で第２通信部４５０がディスプレイ装置３５０から特定固有コードを受信すると、これを制御部４４０に伝達し、制御部４４０は情報保存部４１０を検索して受信された固有コードにマッチングするメタデータを抽出する。そして、第２通信部４５０を通じて抽出されたメタデータをディスプレイ装置３５０に送信する。
【００４１】
この時、送信されるメタデータとしてはメタデータ全体が送信されることもでき、データ保存位置のみが送信されることができ、固有コードと共にメタデータを送信することによってディスプレイ装置３５０が複数のデータに対するディスプレイを行うようにすることもできる。
【００４２】
図５は本発明の実施形態による受信端末機を示したブロック図である。
受信端末機３４０は保存部５１０、受信部５２０、制御部５３０、送信部５４０及び命令受信部５５０を含んで構成される。
【００４３】
受信部５２０はデータ中継装置３２０が短文サービスサーバー３３０を通じて送信した固有コードを受信する役割を果たす。受信された固有コードは発信者が受信者に送信するためのデータに付与されたコードであって、データ中継装置３２０にメタデータと共に保存されている。
【００４４】
この時、受信部５２０は固有コードと共にデータの題目またはメタデータ全体を受信することもでき、使用者はデータの題目またはメタデータによってデータの種類を確認することもできる。
【００４５】
保存部５１０は受信された固有コードを保存する役割を果たし、データの題目またはメタデータが受信された場合、該当固有コードにマッチングしてデータの題目またはメタデータを保存する。
【００４６】
命令受信部５５０は使用者から保存された固有コードのうちの少なくとも一つに対する選択命令を受信する役割を果たす。
【００４７】
使用者は受信端末機３４０に備えられたディスプレイ部を通じて固有コードまたはメタデータを確認し、ディスプレイしようとするデータを選択して別途のディスプレイ装置３５０が該当データをディスプレイするようにすることができる。この時、受信端末機３４０のディスプレイ部には固有コードより使用者が慣れているメタデータのうちの少なくとも一つをディスプレイするのが好ましい。
【００４８】
送信部５４０は命令受信部５５０によって受信された選択命令によってディスプレイ装置３５０に固有コードを送信する役割を果たす。
【００４９】
この時、送信部５４０はディスプレイ装置３５０と赤外線通信、ブルートゥース、ホームＲＦ、無線インターネット、ＵＳＢ、ＩＥＥＥ  １３９４、ＲＳ−２３２、ＰＳ２及び並列通信のうちの少なくとも一つの方式で通信することができる。
【００５０】
また、送信部５４０は固有コードだけでなく、保存部５１０に保存されたメタデータのうちのデータ保存位置をディスプレイ装置３５０に送信することもでき、これによってディスプレイ装置３５０はデータ中継装置３２０にデータ保存位置を要請することなく、送信部５４０から受信したデータ保存位置に直接接続してデータをディスプレイすることもできる。
【００５１】
制御部５３０は受信部５２０、保存部５１０、命令受信部５５０、送信部５４０及び装置に対する全般的な制御を行う。
【００５２】
参考までに、受信端末機３４０はメタデータによってデータ受信可否を決定することもでき、受信されたデータがテキストのみからなる短文であるか、データの容量が大きくない場合には直接受信して保存することもできる。また、保存されたデータは備えられたディスプレイ部によってディスプレイされることもでき、別途のディスプレイ装置３５０によってディスプレイされることもできる。
【００５３】
図６は本発明の実施形態によるディスプレイ装置を示したブロック図である。
ディスプレイ装置３５０は第４通信部６１０、第５通信部６２０、第６通信部６３０、制御部６４０及びディスプレイ部６５０を含んで構成される。
第４通信部６１０は受信端末機３４０から固有コードを受信する役割を果たす。
【００５４】
この時、第４通信部６１０は受信端末機３４０と赤外線通信、ブルートゥース、ホームＲＦ、無線インターネット、ＵＳＢ、ＩＥＥＥ  １３９４、ＲＳ−２３２、ＰＳ２及び並列通信のうちの少なくとも一つの方式で通信することができる。
【００５５】
第４通信部６１０によって受信された固有コードは第５通信部６２０によってデータ中継装置３２０に送信され、この時、固有コードはデータ保存位置を要請するメッセージと共に送信されるのが好ましい。
【００５６】
ディスプレイ装置３５０から固有コードとデータ保存位置要請メッセージを受信したデータ中継装置３２０は受信された固有コードにマッチングするメタデータを検索して該当するデータの保存位置をディスプレイ装置３５０に送信する。
【００５７】
これによって、ディスプレイ装置３５０はデータ保存装置、つまり、データサーバー３１０に接続して該当データ送信を要請し、第６通信部６３０でデータを受信する。
【００５８】
ここで、データの保存位置はデータサーバー３１０のＩＰ住所、データを保存しているフォルダー名及びデータのファイル名などが含まれるのが好ましい。
【００５９】
受信されたデータはディスプレイ部６５０を通じて画面に出力される。ここで、画面に出力されるデータは電子メール、広告及び文書のうちの少なくとも一つであることができる。
【００６０】
制御部６４０は第４通信部６１０、第５通信部６２０、第６通信部６３０、ディスプレイ部６５０及び装置の全般的な制御を遂行する役割を果たす。
【００６１】
前述のように、ディスプレイ装置３５０は受信端末機３４０から固有番号だけでなくメタデータを受信することもでき、メタデータを受信した場合にはメタデータに含まれたデータの保存位置を参照して直接データサーバー３１０に接続してデータを受信しディスプレイすることができる。
【００６２】
図７は本発明の実施形態によるデータ中継装置によってデータが中継される過程を示したフローチャートである。
発信者は有線または無線端末機を利用してデータサーバー３１０に接続してデータサーバー３１０にデータを送信する。これによって、データサーバー３１０は受信されたデータに対するメタデータを生成してデータ中継装置３２０に送信する。
【００６３】
メタデータを受信した（Ｓ７１０）データ中継装置３２０は受信されたメタデータに対する固有コードを生成し（Ｓ７２０）、メタデータにマッチングして情報保存部４１０に保存する。
【００６４】
そして、生成された固有コードをメタデータに含まれた受信端末機３４０の住所を参照して短文サービスサーバー３３０を通じて受信端末機３４０に送信する（Ｓ７３０）。
【００６５】
そして、待機状態でディスプレイ装置３５０から固有コードと共にデータの保存位置要請メッセージを受信すると（Ｓ７４０）、情報保存部４１０に保存されているメタデータ中に受信された固有コードに該当するものがあるかどうか検索する（Ｓ７５０）。
【００６６】
該当する固有コードがあるかどうか確認して（Ｓ７６０）、該当固有コードがあればデータ保存位置またはメタデータをディスプレイ装置３５０に送信し（Ｓ７７０）、この時、固有コードと共にデータ保存位置またはメタデータを送信することによって、ディスプレイ装置３５０が複数のデータをディスプレイするようにすることもできる。
【００６７】
図８は本発明の実施形態による受信端末機によって固有コードが送受信される過程を示したフローチャートである。
発信者が受信者にデータを送信すると、データはデータサーバー３１０に保存され、データ中継装置３２０はデータに対する固有コードを生成して受信端末機３４０に送信し、固有コードを受信した（Ｓ８１０）受信端末機３４０は固有コードを保存部５１０に保存する（Ｓ８２０）。この時、データ中継装置３２０は固有コードだけでなく、データ題目またはメタデータ全体を受信端末機３４０に送信することもでき、この場合、受信端末機３４０はデータ題目またはメタデータと固有コードをマッチングして保存する（Ｓ８２０）。
【００６８】
受信端末機３４０の使用者は受信端末機３４０に備えられたディスプレイ部を通じて固有コード、データ題目またはメタデータを確認し、ディスプレイしようとするデータを選択することができる。この時、データに対する選択命令を受信した（Ｓ８３０）受信端末機３４０はインターネットが支援されるディスプレイ装置３５０に固有コードを送信して（Ｓ８４０）、ディスプレイ装置３５０が該当データをディスプレイするようにする。
【００６９】
ここで、受信端末機３４０は赤外線通信、ブルートゥース、ホームＲＦ、無線インターネット、ＵＳＢ、ＩＥＥＥ  １３９４、ＲＳ−２３２、ＰＳ２及び並列通信のうちの少なくとも一つの方式でディスプレイ装置３５０と通信し、受信端末機３４０との通信可否またはディスプレイ機能支援可否による結果を画面に表示することもできる。
【００７０】
参考までに、受信端末機３４０はメタデータによってデータ受信可否を決定することもでき、受信されたデータがテキストのみからなる短文であるか、データの容量が大きくない場合には直接受信して保存することもできる。また、保存されたデータは備えられたディスプレイ部を通じてディスプレイされることもでき、別途のディスプレイ装置３５０を通じてディスプレイされることもできる。
【００７１】
図９は本発明の実施形態によるディスプレイ装置によって固有コードによるデータをディスプレイする過程を示したフローチャートである。
受信端末機３４０から固有コードを受信した（Ｓ９１０）ディスプレイ装置３５０は、受信された固有コードをデータ中継装置３２０に送信する（Ｓ９２０）。この時、固有コードはデータ保存位置を要請するメッセージと共に送信されるのが好ましい。
【００７２】
これによって、データ中継装置３２０は受信された固有コードにマッチングするメタデータを検索して該当するデータの保存位置をディスプレイ装置３５０に送信する。
【００７３】
ここで、データの保存位置はデータサーバー３１０のＩＰ住所、データを保存しているフォルダー名及びデータのファイル名などが含まれるのが好ましい。
【００７４】
データの保存位置を受信したディスプレイ装置３５０は受信されたデータ保存位置を参照してデータサーバー３１０に接続して該当データを受信し（Ｓ９３０）、受信されたデータは備えられたディスプレイ部６５０を通じてディスプレイされる（Ｓ９４０）。
【００７５】
以上、添付図面を参照して本発明の実施形態を説明したが、本発明の属する技術分野における通常の知識を有する者は本発明がその技術的思想や必須な特徴を変更せずに他の具体的な形態で実施できるということを理解することができる。したがって、以上で記述した実施形態は全ての面で例示的なものであり、限定的なものではないことを理解しなければならない。
【図面の簡単な説明】
【００７６】
【図１】従来の電子メールによるデータ送信及びディスプレイシステムを示した図面である。
【図２】従来の無線端末機によるデータ送信及びディスプレイシステムを示した図面である。
【図３】本発明の実施形態による受信されたデータを別途の装置を利用してディスプレイするシステムを示したブロック図である。
【図４】本発明の実施形態によるデータ中継装置を示したブロック図である。
【図５】本発明の実施形態による受信端末機を示したブロック図である。
【図６】本発明の実施形態によるディスプレイ装置を示したブロック図である。
【図７】本発明の実施形態によるデータ中継装置によってデータが中継される過程を示したフローチャートである。
【図８】本発明の実施形態による受信端末機によって固有コードが送受信される過程を示したフローチャートである。
【図９】本発明の実施形態によるディスプレイ装置によって固有コードによるデータをディスプレイする過程を示したフローチャートである。
【符号の説明】
【００７７】
３１０      データサーバー
３２０      データ中継装置
３３０      短文サービスサーバー
３４０      受信端末機
３５０      ディスプレイ装置
４１０      情報保存部
４２０      第１通信部
４３０      第３通信部
４４０      （データ中継装置の）制御部
４５０      第２通信部
４６０      コード生成部
５１０      保存部
５２０      受信部
５３０      （受信端末機の）制御部
５４０      送信部
５５０      命令受信部
６１０      第４通信部
６２０      第５通信部
６３０      第６通信部
６４０      （ディスプレイ装置の）制御部
６５０      ディスプレイ部
【図３】
2006190305.tif 000003
【図４】
2006190305.tif 000004
【図５】
2006190305.tif 000005
【図６】
2006190305.tif 000006
【図７】
2006190305.tif 000007
【図８】
2006190305.tif 000008
【図９】
2006190305.tif 000009
【図１】
2006190305.tif 000010
【図２】
2006190305.tif 000011